【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
布のラベル付けに適した熱転写ラベルであって、
（ａ）支持部；及び
（ｂ）転写部であって、熱及び圧力の条件下で支持部から布製品に転写部を転写するために、前記支持部上に配置された転写部であって、
（ｉ）第一のインキデザイン層、及び
（ｉｉ）熱活性接着剤層であって、約１０ミクロン以下の表面粗さを有する熱活性接着剤層を含み、
（ｉｉｉ）前記第一のインキデザイン層及び前記熱活性接着剤層が、前記第一のインキデザイン層及び前記熱活性接着剤層の一方が他方の上に配置されるように、互いに関連して配置される転写部；
を含む熱転写ラベル。
【請求項２】
前記熱活性接着剤層が、約５ミクロン以下の表面粗さを有する請求項１に記載の熱転写ラベル。
【請求項３】
前記熱活性接着剤層が、約１ミクロン以下の表面粗さを有する請求項２に記載の熱転写ラベル。
【請求項４】
前記熱活性接着剤層が、ポリエステル接着樹脂、ポリアミド樹脂、及びポリ塩化ビニル接着樹脂の１種を含む請求項１に記載の熱転写ラベル。
【請求項５】
前記熱活性接着剤層がポリエステル接着樹脂を含む請求項４に記載の熱転写ラベル。
【請求項６】
前記熱活性接着剤層がポリ塩化ビニル接着樹脂を含む請求項４に記載の熱転写ラベル。
【請求項７】
前記熱活性接着剤層が、前記第一のインキデザイン層上に配置される請求項１に記載の熱転写ラベル。
【請求項８】
前記転写部が、前記熱活性接着剤層の上部の上に直接印刷されたマーキングを更に含む請求項７に記載の熱転写ラベル。
【請求項９】
前記マーキングが、熱転写印刷、インキジェット印刷、及びレーザー印刷の１つにより作成される請求項８に記載の熱転写ラベル。
【請求項１０】
前記第一のインキデザイン層、前記熱活性接着剤層、及び前記マーキングの少なくとも一つの一部が、セキュリテイインキを用いて印刷される請求項８に記載の熱転写ラベル。
【請求項１１】
前記セキュリテイインキが、ＩＲ活性インキ、ＵＶ活性インキ、可視光活性インキ、熱活性インキ、電気活性インキ、磁気活性インキ、化学活性インキ、湿気活性インキ、圧力活性インキ、２色性インキ、及び時間制御インキからなる群から選ばれる請求項１０に記載の熱転写ラベル。
【請求項１２】
前記転写部がプライマー層を更に含み、前記プライマー層が、前記第一のインキデザイン層と熱活性接着剤層との間に配置される請求項７に記載の方法。
【請求項１３】
前記第一のインキデザイン層が架橋ポリ塩化ビニル樹脂を含む請求項１２に記載の熱転写ラベル。
【請求項１４】
前記プライマー層が架橋型ポリ塩化ビニルポリマー樹脂を含む請求項１３に記載の熱転写ラベル。
【請求項１５】
前記熱活性接着剤層がポリ塩化ビニル接着樹脂を含む請求項１４に記載の熱転写ラベル。
【請求項１６】
前記支持部が、キャリヤー及び前記キャリヤーの表面に直接配置された剥離コーテイングを含み、前記剥離コーテイングが非ワックス性、非シリコーン性の剥離材料から作成され、前記熱転写ラベルが前記剥離コーテイングと前記転写部の間に配置されたワックス層を更に含む請求項１５に記載の熱転写ラベル。
【請求項１７】
前記第一のインキデザイン層、前記プライマー層、及び前記熱活性接着剤層のそれぞれが周辺部をもち、前記プライマー層の周辺部が前記第一のインキデザイン層の周辺部を超え、かつ前記熱活性接着剤層の周辺部が前記プライマー層の周辺部を超える請求項１６に記載の熱転写ラベル。
【請求項１８】
前記第一のインキデザイン層が、前記熱活性接着剤層上に配置されている、請求項１に記載の熱転写ラベル。
【請求項１９】
前記第一のインキデザイン層の少なくとも一部が、熱転写印刷、インキジェット印刷、及びレーザー印刷の１つにより印刷される請求項１８に記載の熱転写ラベル。
【請求項２０】
前記第一のインキデザイン層の第１の部分が、スクリーン印刷、グラビア印刷、及びフレキソ印刷の少なくとも一つにより印刷され、かつ前記第一のインキデザイン層の第２の部分が、熱転写印刷、インキジェット印刷、及びレーザー印刷の少なくとも一つにより印刷される請求項１８に記載の熱転写ラベル。
【請求項２１】
前記第一のインキデザイン層及び前記熱活性接着剤層の少なくとも一つの少なくとも一部が、セキュリテイインキを用いて印刷される請求項１８に記載の熱転写ラベル。
【請求項２２】
前記セキュリテイインキが、ＩＲ活性インキ、ＵＶ活性インキ、可視光活性インキ、熱活性インキ、電気活性インキ、磁気活性インキ、化学活性インキ、湿気活性インキ、圧力活性インキ、２色性インキ、及び時間制御インキからなる群から選ばれる請求項２１に記載の熱転写ラベル。
【請求項２３】
前記転写部が、この転写部に増大した弾性を付与するためにストレッチ層を更に含み、前記接着剤層が前記ストレッチ層上に配置される請求項１８に記載の熱転写ラベル。
【請求項２４】
前記ストレッチ層が約５から１００ミクロンの厚みを有し、かつポリエステルブロックコポリマー、ポリユリヤ（ポリ尿素）ポリマー、及びポリウレタンポリマーの少なくとも一種を含む請求項２３に記載の熱転写ラベル。
【請求項２５】
前記熱活性接着剤層が、非架橋型ポリ塩化ビニル樹脂を含み、かつ前記第一のインキデザイン層の少なくとも一部が、ポリ塩化ビニルインキを用いて印刷される請求項１８に記載の熱転写ラベル。
【請求項２６】
前記支持部が、キャリヤー及び前記キャリヤーの表面に直接配置された剥離コーテイングを含み、前記剥離コーテイングが非ワックス性、非シリコーン性の剥離材料から作成される請求項２５に記載の熱転写ラベル。
【請求項２７】
前記熱転写ラベルが、前記剥離コーテイングと前記転写部の間に配置されたワックス層を更に含む請求項２６に記載の熱転写ラベル。
【請求項２８】
前記熱活性接着剤層が約１０から２００ミクロンの厚みを有する請求項１に記載の熱転写ラベル。
【請求項２９】
前記第１のインキデザイン層の第１の部分が、スクリーン印刷、グラビア印刷、及びフレキソ印刷の少なくとも一つにより印刷され、かつ前記第１のインキデザイン層の第２の部分が、熱転写印刷、インキジェット印刷、及びレーザー印刷の少なくとも一つにより印刷される請求項１に記載の熱転写ラベル。
【請求項３０】
転写部がＲＦＩＤ素子を更に含む請求項１に記載の熱転写ラベル。
【請求項３１】
前記ＲＦＩＤ素子が、前記第１のインキデザイン層と前記熱活性接着剤層との間に配置される請求項３０に記載の熱転写ラベル。
【請求項３２】
前記第一のインキデザイン層の少なくとも一部分が、非架橋ポリ塩化ビニルインキを用いて印刷される請求項１に記載の熱転写ラベル。
【請求項３３】
前記第一のインキデザイン層が、サーモクロミックインキデザインを含む、請求項１に記載の熱転写ラベル。
【請求項３４】
熱活性接着剤層が光活性顔料を更に含む請求項１に記載の熱転写ラベル。
【請求項３５】
前記第１のインキデザイン層の上に配置されかつそれと部分的に重なる第２のインキデザイン層を更に含み、前記第１のインキデザイン層と前記第２のインキデザイン層が、重ならない領域とは区別された重なる領域を有する請求項１に記載の熱転写ラベル。
【請求項３６】
画像画素のマトリックス内に定位置画素としてデジタルコード記号化情報を有する画像を、前記第１のインキデザイン層が含む、請求項１に記載の熱転写ラベル。
【請求項３７】
前記マーキングが、熱転写印刷により作成される請求項９に記載の熱転写ラベル。
【請求項３８】
前記マーキングが、樹脂ベースの転写リボンを用いる熱転写印刷により作成される請求項９に記載の熱転写ラベル。
【請求項３９】
前記マーキングが、樹脂及びワックスベースの転写リボンを用いる熱転写印刷により作成される請求項９に記載の熱転写ラベル。
【請求項４０】
前記第一のインキデザイン層の周辺部が、前記熱活性接着剤層の周辺部を超えない、請求項１８に記載の熱転写ラベル。
【請求項４１】
前記支持部が、キャリヤーと、このキャリヤーの上に直接配置される剥離コーティングとを含み、前記熱転写ラベルは前記剥離コーティングの上にワックス層を更に含み、前記熱活性接着剤層は前記ワックス層に接触している請求項１８に記載の熱転写ラベル。
【請求項４２】
前記転写部が、第２のインキデザイン層を含み、この第２のインキデザイン層はワックス層上に直接印刷される請求項４１に記載の熱転写ラベル。
【請求項４３】
印刷された不変情報を受けることができる１以上のインキデザイン層と、印刷された可変情報を受けることができる１以上のマーキングとを伴う熱転写ラベルであって、
キャリヤーを備えており、このキャリヤーの一方の面は、インキデザイン層およびマーキングの剥離コーティングと、前記インキデザイン層に印刷された不変情報と、前記マーキングに印刷された可変情報と、前記インキデザイン層およびマーキングの接着剤層とを支持しており、
前記剥離コーティングは、前記キャリヤーと前記インキデザイン層に印刷された不変情報との間、及び前記キャリヤーと前記マーキングに印刷された可変情報との間に配置されており、
前記インキデザイン層の印刷された不変情報は、接着剤層と剥離コーティングの間に配置されており、
前記接着剤層は、マーキングに印刷された可変情報と前記剥離コーティングとの間に配置されていることを特徴とする熱転写ラベル。
【請求項４４】
印刷された情報をキャリヤーから表面に転写する方法であって、請求項４３に記載の熱転写ラベルを供給する工程と、接着剤層と印刷された不変情報と印刷された可変情報とを表面に転写する工程とを含む方法。
【請求項４５】
印刷された情報をキャリヤーから布に転写する方法であって、請求項４３に記載の熱転写ラベルを供給する工程と、接着剤層と印刷された不変情報と印刷された可変情報とを布に転写する工程とを含む方法。
【請求項４６】
前記インキデザイン層が、印刷された不変情報を有する第１のインキ層と、この第１のインキ層と接着剤との間の第２のインキ層とを含んでおり、前記接着剤層は、前記第２のインキ層と印刷された可変情報との間に配置されている請求項４３に記載の熱転写ラベル。
【請求項４７】
前記インキデザイン層の中の印刷された不変情報は、スクリーン印刷インキからなり、且つ前記マーキングの中の印刷された可変情報は、熱転写印刷インキからなる請求項４３に記載の熱転写ラベル。
【請求項４８】
前記マーキングの中の印刷された可変情報は、熱転写印刷インキからなる請求項４３に記載の熱転写ラベル。
【請求項４９】
前記キャリヤーは、実質的に光学的に透明であるプラスチックフィルムを含んでおり、印刷された不変情報および可変情報は、キャリヤーを通して可視である請求項４３に記載の熱転写ラベル。